(57)【要約】【課題】本発明は、封緘物の不正開封を判別可能とするとともに、封緘の役目を終えた後にきれいに剥がす事が可能な封緘シール及びこれを用いた封緘方法を提供することを目的とする。【解決手段】裏面に粘着部５と非粘着部６を有する封緘用シール１をミシン目によってシール片１４ａ、１４ｂに破断可能とし、破断後のシール片１４ａ、１４ｂを剥がし易くする剥がし片７ａ、７ｂを形成したことを特徴とする。【選択図】    図５
2004177845.tif 000002
【特許請求の範囲】
【請求項１】
シール基材と、
該シール基材の裏面に非粘着領域と、該非粘着領域の両側に粘着領域と、を有する封緘用シールであって、
前記非粘着領域内に形成し、前記シール基材を第一のシール片と第二のシール片に破断可能な破断線と、
前記粘着領域に部分的に接着され、かつ前記非粘着領域に僅かに先端を延出する剥がし片と、
を有することを特徴とする封緘用シール。
【請求項２】
前記剥がし片は、第一の剥がし片および第二の剥がし片からなり、該第一の剥がし片および第二の剥がし片は各々前記第一のシール片及び第二のシール片の前記粘着領域に部分的に接着され、かつ前記非粘着領域に僅かに先端を延出するように形成されたことを特徴とする請求項１記載の封緘用シール。
【請求項３】
シール基材と、
該シール基材を第一のシール片と第二のシール片に破断可能な二列の破断線と、該二列の破断線の両端に形成した開封部と、
第一のシール片および第二のシール片に形成した粘着領域と、
二列の破断線の内側および開封部に形成した非粘着領域と、
前記第一のシール片および第二のシール片の粘着領域に部分的に接着され、かつ前記二列の破断線の内側に形成した非粘着領域に僅かに先端を延出するように第一および第二の剥がし片と、
を有することを特徴とする封緘用シール。
【請求項４】
前記第一の剥がし片および第二の剥がし片は、各々前記破断線に対して直交する方向に向かって広がる形で形成したことを特徴とする請求項２または３記載の封緘用シール。
【請求項５】
前記開封部は、非粘着領域と、該非粘着領域内に形成し、前記二列の破断線の端部に向かってその間隔が漸減するように形成した一対の切断線からなることを特徴とする請求項３記載の封緘用シール。
【請求項６】
前記第一の剥がし片および第二の剥がし片に粘着領域よりも弱い粘着力の弱粘着領域を形成したことを特徴とする請求項２ないし５のいずれかに記載の封緘用シール。
【請求項７】
シール基材と、
該シール基材の裏面に非粘着領域と、該非粘着領域の両側に粘着領域と、を有する封緘用シールを用いた封緘方法であって、
前記非粘着領域内に形成し、前記シール基材を第一のシール片と第二のシール片に破断可能な破断線と、
前記粘着領域に部分的に接着され、かつ前記非粘着領域に僅かに先端を延出する剥がし片と、
を形成し、
前記破断線を封緘物の封緘口に沿って位置させて貼り付けることを特徴とする封緘用シールを用いた封緘方法。
【発明の詳細な説明】
【０００１】
【発明の属する技術分野】
本発明は、封緘用シールおよびこれを用いた封緘方法にかかるもので、特に封筒などの蓋部と封筒本体の合わせ目に跨って貼り付ける封緘用シールおよびこれを用いた封緘方法に関するものである。
【０００２】
【従来の技術】
従来、シール基材に複数の切込みを形成し、裏面に粘着剤層を設けた封緘用シールが知られている。この封緘用シールは、封筒本体と蓋部の合わせ目である封緘口に跨って貼付して用いられ、封筒を開ける際に封緘用シールが切込みに沿って破れてしまい、再び封筒を閉じようとしてもこの封緘用シールを元通りに貼ることができず、これにより封筒が第三者に開封されたか否かを見極めることができるというものである（例えば、特許文献１参照。）。すなわち、封緘用シールは、封筒の開封と同時にシール基材が破れることで封緘としての役割を終える。
【０００３】
【特許文献１】
実開昭６３−４６３４４号
【０００４】
【発明が解決しようとする課題】
しかしながら、開封済みの封筒の封緘口近傍には破られた封緘用シールのシール片が封筒本体と蓋部に多数残存してしまい、この封筒を再利用したりリサイクル品として利用するためにすべてのシール片を剥がすのは大変面倒であった。また、この封緘用シールのシール基材には、複数の切り込みを形成しているためシール片を破らずにきれいに剥がすことは大変困難であった。
【０００５】
また、封緘用シールの粘着剤として剥離可能な粘着力の弱い粘着剤を用いることにより、封筒に貼付した封緘用シールを破らずにきれいに剥がすことが可能であるが、このような弱い粘着剤を用いると第三者が封緘用シールを破らずにきれいに剥がせるため、封筒中の信書秘密性を守る事が困難となる。
【０００６】
本発明は、以上の諸問題にかんがみなされたもので、封筒の開封と共にシール基材が破れて開封したことが容易に判別でき、かつ、破れた一部であるシール片を封筒から容易に剥がすことのできる封緘用シールおよびこれを用いた封緘方法を提供することを課題とする。
【０００７】
また本発明は、シール基材を破らない限りはきれいに剥がす事が困難な封緘用シールおよびこれを用いた封緘方法を提供することを課題とする。
【０００８】
【課題を解決するための手段】
本発明に係る封緘用シールは、シール基材と、該シール基材の裏面に非粘着領域と、該非粘着領域の両側に粘着領域と、を有する封緘用シールであって、前記非粘着領域内に形成し、前記シール基材を第一のシール片と第二のシール片に破断可能な破断線と、前記粘着領域に部分的に接着され、かつ前記非粘着領域に僅かに先端を延出する剥がし片と、を有することを特徴とする。
【０００９】
また、前記剥がし片は、第一の剥がし片および第二の剥がし片からなり、該第一の剥がし片および第二の剥がし片は各々前記第一のシール片及び第二のシール片の前記粘着領域に部分的に接着され、かつ前記非粘着領域に僅かに先端を延出するように形成することもできる。
【００１０】
第二の発明に係る封緘用シールは、シール基材と、該シール基材を第一のシール片と第二のシール片に破断可能な二列の破断線と、該二列の破断線の両端に形成した開封部と、第一のシール片および第二のシール片に形成した粘着領域と、二列の破断線の内側および開封部に形成した非粘着領域と、前記第一のシール片および第二のシール片の粘着領域に部分的に接着され、かつ前記二列の破断線の内側に形成した非粘着領域に僅かに先端を延出するように第一および第二の剥がし片と、を有することを特徴とする。
【００１１】
また、前記第一の剥がし片および第二の剥がし片は、各々前記破断線に対して直交する方向に向かって広がる形で形成することもできる。
【００１２】
また、前記開封部は、非粘着領域と、該非粘着領域内に形成し、前記二列の破断線の端部に向かってその間隔が漸減するように形成した一対の切断線とすることもできる。
【００１３】
また、前記第一の剥がし片および第二の剥がし片に粘着領域よりも弱い粘着力の弱粘着領域を形成することもできる。
【００１４】
第三の発明に係る封緘用シールを用いた封緘方法は、シール基材と、該シール基材の裏面に非粘着領域と、該非粘着領域の両側に粘着領域と、を有する封緘用シールを用いた封緘方法であって、前記非粘着領域内に形成し、前記シール基材を第一のシール片と第二のシール片に破断可能な破断線と、前記粘着領域に部分的に接着され、かつ前記非粘着領域に僅かに先端を延出する剥がし片と、を形成し、前記破断線を封緘物の封緘口に沿って位置させて貼り付けることを特徴とする。
【００１５】
【発明の実施の形態】
以下、図面を参照しながら本発明に係る封緘用シールの実施の形態について説明する。  図１は、本発明における封緘用シール１の第一の実施形態を示す表面平面図であり、図２は、図１における封緘用シール１の裏面図、図３は、図２における封緘用シール１のＩＩＩ―ＩＩＩ線断面図である。
【００１６】
図１に示すように封緘用シール１は、長尺帯状の剥離紙２に間隔を置いて複数仮着され、シール連続体３に形成されている。封緘用シール１には、封緘用シール１の両端部を結ぶ一直線上にミシン目４（破断線）が形成されている。
ミシン目４は、一定間隔毎に形成した微小の切込みであり、間隔が狭く切込みが大きいほど切れ易く、間隔や切込みの大きさは任意に調整可能である。
【００１７】
図２または図３に示すように、剥離紙２を剥がすと封緘用シール１の裏面には、粘着部５と、非粘着部６と、剥がし片７が形成されている。
【００１８】
粘着部５（粘着領域）は、感圧性や感熱性などの粘着剤であり、後述する非粘着部６の両側に形成されている。
【００１９】
非粘着部６（非粘着領域）は、粘着剤を塗布していない領域であり、ミシン目４を含む近傍に位置する。
【００２０】
剥がし片７は、ミシン目４を中心線として直交する方向に向かって対称に位置する２つの剥がし片７ａ、７ｂ（第一および第二の剥がし片）からなる。また、剥がし片７は、図３に示すように一端を粘着部５により強固に接着され、他端を僅かに非粘着部６へと延出している。剥がし片７は、赤や黄色などの目立つ色で形成され、かつ引っ張りに強い材質が好ましい。
【００２１】
この封緘用シール１は、図３に示すように最上層にミシン目４を形成した紙などからなるシール基材８、シール基材８の下層に粘着部５及び非粘着部６、粘着部５及び非粘着部６の下層に剥がし片７を積層した構造となっている。
【００２２】
次に、この封緘用シール１の使用方法について図４及び図５に基づいて説明する。図４（ａ）は、封筒１０に封緘用シール１を接着した状態を示す図であり、図４（ｂ）は封筒１０の開封状態を示す図である。
【００２３】
図４（ａ）に示すように、秘密書類を入れる封筒本体１１と蓋部１２とからなる封筒１０（封緘物）の封筒本体１１側に蓋部１２が折り曲げられ、封筒本体１１と蓋部１２との合わせ目である封緘口１３に沿ってミシン目４を位置させて封緘用シール１が貼り付けられる。
【００２４】
次に、図４（ｂ）に示すように、開封時に蓋部１２を上方に持ち上げると封緘用シール１のミシン目４から破れ、後述するシール片１４ａ、１４ｂ（第一のシール片及び第二のシール片）に破断される。
【００２５】
図５（ａ）は、破断後のシール片１４ａ、１４ｂの平面図であり、図５（ｂ）は、破断後のシール片１４ａ、１４ｂを剥がす状態を示す図である。図５（ａ）に示すように、封筒１０の蓋部１２の開封と共に封緘用シール１をミシン目４からシール片１４ａ、１４ｂに破断すると、非粘着部６に延出した第１および第２の剥がし片７ａ、７ｂの先端が表出する。
この表出した剥がし片７ｂの先端を保持し、図５に（ｂ）示す矢印方向に持ち上げることによって、剥がし片７ｂと共にシール片１４ｂが引き上げられ、シール片１４ｂを封筒１０から容易に剥がすことができる。また、同様に剥がし片７ａを持ち上げ、シール片１４ａを剥がす。
【００２６】
たとえば、この封緘用シール１を不正開封の目的で剥がそうとしてもミシン目４から破れるため、封緘用シール１を元通りに封筒１０に貼ることができず、不正開封があったことが判明する。また、剥がし片７はシール基材８の下層に位置するのでシール基材８を破らない限りは剥がし片７が表出しないので、剥がし片７を用いて封緘用シール１をきれいに剥がす事は不可能である。
よって、封緘用シール１が破られずに封筒の受取人に受け渡されることで、封筒１０が開封されず、封筒１０中の信書の秘密が漏洩しなかったと判明し、安心して信書を取り扱うことができる。そして、受取人が封筒１０を開封し、封緘用シール１を破った際に剥がし片７が表出し、この剥がし片７によりシール片１４ａ、１４ｂを容易に剥がす事ができるので封筒１０を再使用またはリサイクル利用に好適である。
【００２７】
また、本発明において、剥がし片７の形状を小幅の一直線状としたが、シール片１４ａ、１４ｂを剥がし易くするために任意の形状とすることもできる。
たとえば図６は、本発明の第二の実施の形態による封緘用シール２０の裏面図であって、第一および第二の剥がし片２１ａ、２１ｂはミシン目４に対して直交する方向に非粘着部６から封緘用シール１端部側に向かって広がる形で形成されている。また、第一実施の形態と同様の構成のものは同一の符号を付し、その説明を省略する。
【００２８】
この封緘用シール２０において、第一の実施の形態の剥がし片７ａ、７ｂに比べて粘
着部５の下層に位置する剥がし片２１ａ、２１ｂの面積を広く形成しており、よりシール片２２ａ、２２ｂを剥がし易くしている。特に、粘着部５が強い粘着性を有する強粘着剤である場合において、剥がし片２１ａ、２１ｂの面積を広くすることが好ましい。
また、剥がし片２１ａ、２１ｂは、粘着力のない領域であるため、あまり面積を広くしすぎると封緘用シール２０が封筒から剥がれ易くなるので、剥がし片２１ａ、２１ｂに粘着部５より弱い粘着力を有する弱粘着部（弱粘着領域）を形成しても良い。
以上のように、本発明の第二の実施の形態において封緘用シール２０の粘着部５が強い粘着性を有する強粘着剤であっても粘着部５の下層に位置する剥がし片２１ａ、２１ｂの面積を広く形成しているのでシール片２２ａ、２２ｂをより容易に剥がす事ができる。
【００２９】
また、本発明において非粘着部６と粘着部５との境目に位置する二列のミシン目を形成し、さらにこの二列のミシン目の両端部に開封部を形成しておくこともできる。
たとえば図７は、本発明の第三の実施の形態による封緘用シール３０の裏面図であり、図８はその封緘用シール３０を貼付した封筒を示す図である。また、第一の実施の形態または第二の実施の形態と同様の構成のものは同一の符号を付し、その説明を省略する。
【００３０】
図７に示すように封緘用シール３０には、幅方向中央に平行な二列のミシン目３１、３１と、この二列のミシン目３１、３１の両端に開封部３６を有している。
開封部３６は、封緘用シールの角から二列の破断線の端部に向かってその間隔が漸減するように形成された一対の切断線３３ａ、３３ｂと、切断線３３ａ、３３ｂに囲まれる領域に形成された非粘着部３４からなる。また、二列のミシン目３１、３１の内側に非粘着部３４が形成され、開封部３６と二列のミシン目３１、３１の内側に形成された非粘着部３４を除く領域である後述するシール片３２ａ、３２ｂに粘着部３５を形成されている。シール片３２ａ、３２ｂは、封緘用シール３０が開封部３６および二列のミシン目３１、３１により破断されることで形成される。
【００３１】
次に、この封緘用シール３０の使用方法を図８に基づいて説明する。封緘の際に封筒１０の封緘口１３に沿うように二列のミシン目３１、３１の内側に形成した非粘着部３４を位置させて封緘用シール３０を貼り付ける。
【００３２】
第三者が封筒１０を不正に開封しようとすると、封緘用シール３０が切断線３３ａ、３３ｂ及びミシン目３１、３１から破れ、破れた封緘用シール３０を元通りに封筒１０に貼り付けることができないので、これにより不正開封があったことを判断できる。また、封筒１０が不正開封されずに無事に受取人に受け渡されることで封筒内の信書の秘密が漏洩しなかったことが判明し、安心して信書を取り扱うことができる。
この封筒１０を開封する際に開封部３６を保持して図８に示すように上方に持ち上げると、切断線３３ａ、３３ｂおよびミシン目３１、３１から破れる。すなわち、切断線３３ａ、３３ｂに囲まれる非粘着部３５を封緘用シール３０の破り代として使用する。切断線３３ａ、３３ｂ及びミシン目３１、３１から封緘シール３０を破ると封筒１０の蓋部１２を開封可能となり、蓋部１２側にシール片３２ａが、封筒本体１１側にシール片３２ｂが残存する。封緘用シールを破ることにより、シール片３２ａ、３２ｂの下層に位置する剥がし片７ａ、７ｂの先端が表出し、この剥がし片７ａ、７ｂを上方に持ち上げることによりシール片３２ａ、３２ｂを剥がすことができる。
【００３３】
以上のように、本発明の第三の実施の形態において封緘用シール３０の角から中央部の二列のミシン目３１、３１に向かってその間の間隔が漸減するように切断線３３ａ、３３ｂを形成し、この切断線３３ａ、３３ｂに囲まれる領域を非粘着部３４とした開封部３６を封緘用シール３０の破り代としたので、この開封部３６および二列のミシン目３１、３１によって封緘用シール３０を破り、蓋部１２を開放することにより封筒１０の蓋部１２をスムーズに開閉することができる。すなわち、第一及び第二の実施の形態で説明した封緘用シール１、２０は封筒１０の蓋部１２の開封と同時にミシン目４より破れるようにしたので、たとえば蓋部１２の強度が弱く、封緘用シール１、２０の強度が強い場合に封筒の開封時に多大な負荷がかかるため蓋部１２が破れる恐れがあり、本発明の第三の実施の形態における封緘用シール３０はこれを解決するために蓋部１２を開封する前に封緘用シール３０を破る構成とし、封筒を開封する際に蓋部１２に負荷が加わらないので、強度の弱い蓋部１２に強度の強い封緘用シールが貼付されていても好適に封筒１０を開封できる。
【００３４】
また、第三の実施の形態において、剥がし片を第一の実施の形態で説明した小幅の一直線状の剥がし片７ａ、７ｂとしたが、これを第二の実施の形態で説明した剥がし片１２ａ、１２ｂとしても良い。
【００３５】
また、本発明の実施の形態において、封緘物を封筒１０として説明したが、これに限定せず、例えばアンプル瓶や箱などであっても良く、任意の封緘構造を有するものであれば良い。
また、非粘着部６は、粘着剤を塗布していない領域としたが、例えば、粘着剤に印刷を施して粘着力をなくす印刷処理や剥離剤塗布処理を施した領域としても良い。
シール連続体３は、剥離紙に複数仮着した剥離紙付きシールで説明したが、これに限るものではなく、シール基材の上層に剥離剤層を形成してロール状に巻回した剥離紙なしのシール連続体であっても良い。
また、シール基材８の表面に例えば、「封」や「開封厳禁」などの印刷を施しても良い。
【００３６】
【発明の効果】
以上のように、本発明の封緘シールは、第一のシール片と第二のシール片に破断可能とした破断線を非粘着領域に設けたことにより、封緘用シールが貼付された封筒を開封すると共に封緘用シールが破れるので第三者により封緘物が不正に開封されたか否かを判別できる。
また、不正に開封されずに封筒が受取人に届いた後で封緘シールを破ることで剥がし片が表出し、この剥がし片により封緘物に残存する第一及び第二のシール片を容易に剥がすことができるので、封緘物の外観を損ねることがなく封緘物を再利用する際に好適である。また、封緘物と異なる材質である封緘シールのシール基材やその粘着剤などの不純物の除去が容易であるので、封緘物をリサイクル品として加工する際においても好適である。
また、第一の剥がし片および第二の剥がし片を破断線に対して直交する方向に向かって広がる形で形成することによって、粘着部がシール基材の粘着力を広範囲にわたって無効とできるので、粘着部が強粘着剤であっても第一のシール片および第二のシール片を容易に剥がす事ができる。
また、第一の剥がし片および第二の剥がし片に粘着領域よりも弱い粘着力を有する弱粘着領域を設けることにより、第一の剥がし片および第二の剥がし片の面積を広く形成したとしても、封緘物への粘着力を確保できるので封緘物から封緘用シールが容易に剥がれる事がない。
また、封緘用シールに二列のミシン目と、この二列のミシン目の両端に形成した開封部を設け、開封部及び二列のミシン目に囲まれる領域を非粘着部としたので、封緘用シールを破ることにより封緘物の蓋が開放され、封筒の開封時になんら負荷なく封筒を開封することができる。
【図面の簡単な説明】
【図１】本発明の第一の実施の形態を示す封緘用シール１の表面平面図である。
【図２】同、封緘用シール１の裏面図である。
【図３】図２における封緘用シール１の断面図である。
【図４】同、封緘用シール１を封筒１０に貼り付けて封緘した状態および開封状態を示す図である。
【図５】同、シール片１４ａを剥がす工程を説明するシール片１４ａ、１４ｂの平面図である。
【図６】本発明の第二の実施の形態を示す封緘用シール２０の裏面図である。
【図７】本発明の第三の実施の形態を示す封緘用シール３０の裏面図である。
【図８】同、封筒に貼り付けた封緘用シール３０を破断する状態を示す図である。
【符号の説明】
１  封緘用シール（第一の実施の形態）
２  剥離紙
３  シール連続体
４  ミシン目（破断線）
５  粘着部（粘着領域）
６  非粘着部（非粘着領域）
７ａ  剥がし片（第一の剥がし片）
７ｂ  剥がし片（第二の剥がし片）
８  シール基材
１０  封筒（封緘物）
１１  封筒本体
１２  蓋部
１３  封緘口
１４ａ  シール片（第一のシール片）
１４ｂ  シール片（第二のシール片）
２０  封緘用シール（第二の実施の形態）
２１ａ、２１ｂ  剥がし片
２２ａ  シール片
２２ｂ  シール片
３０  封緘用シール（第三の実施の形態）
３１  ミシン目
３２ａ  シール片
３２ｂ  シール片
３３ａ、３３ｂ  切断線
３４  非粘着部
３５  粘着部
３６  開封部
【図１】
2004177845.tif 000003
【図２】
2004177845.tif 000004
【図３】
2004177845.tif 000005
【図４】
2004177845.tif 000006
【図５】
2004177845.tif 000007
【図６】
2004177845.tif 000008
【図７】
2004177845.tif 000009
【図８】
2004177845.tif 000010